(57)【要約】【課題】撮影ポイントに関する情報を物理的に写真に写り込ませて写真の証拠性を担保するとともに、写真撮影の作業効率を向上させること。【解決手段】カメラ３２と、撮影現場内の撮影ポイントに関した撮影ポイント情報を記憶するメモリ３８と、カメラ３２の撮影対象として撮影ポイントを指定する操作部３４と、撮影ポイントに配置された無線通信可能な電子表示装置と通信する近距離無線通信部３７と、指定された撮影ポイントに対応する撮影ポイント情報をメモリ３８から読み出して近距離無線通信部３７により電子表示装置に対し送信することで、電子表示装置に撮影ポイント情報を表示させ、撮影ポイント情報を表示した電子表示装置を含む撮影ポイントの写真をカメラ３２により撮影するＣＰＵ３１を備えた。【選択図】図２
2011250292.tif 000002
【特許請求の範囲】
【請求項１】
カメラと、
撮影現場内の撮影ポイントに関した撮影ポイント情報を記憶する記憶手段と、
前記カメラの撮影対象として前記撮影ポイントを指定する撮影ポイント指定手段と、
前記撮影ポイントに配置された無線通信可能な電子表示装置と通信する通信手段と、
前記撮影ポイント指定手段により指定された前記撮影ポイントに対応する前記撮影ポイント情報を前記記憶手段から読み出して前記通信手段により前記電子表示装置に対し送信することで、前記電子表示装置に前記撮影ポイント情報を表示させる撮影ポイント情報送信制御手段と、
前記撮影ポイント情報を表示した前記電子表示装置を含む前記撮影ポイントの写真を前記カメラにより撮影する撮影制御手段と、
を備えたことを特徴とする携帯端末。
【請求項２】
前記写真の撮影前に前記カメラから出力されるライブ画像に前記電子表示装置を示す電子表示装置画像が含まれていることを画像処理により検出する電子表示装置画像検出手段を備え、
前記撮影制御手段は、前記ライブ画像に前記電子表示装置画像が含まれていない間は前記カメラによる撮影を行わず、前記ライブ画像に前記電子表示装置画像が含まれていることが検出されたとき、前記カメラにより撮影を実行することを特徴とする請求項１に記載の携帯端末。
【請求項３】
前記写真の撮影実行指示が入力される撮影実行指示入力手段と、
前記写真の撮影前に前記カメラから出力されるライブ画像に前記電子表示装置を示す電子表示装置画像が含まれていることを画像処理により検出する電子表示装置画像検出手段と、を備え、
前記撮影制御手段は、前記撮影実行指示入力手段に前記撮影実行指示が入力されたとき、前記ライブ画像に前記電子表示装置画像が含まれていない場合には前記写真の撮影を行わず、前記ライブ画像に前記電子表示装置画像が含まれている場合には前記写真の撮影を実行することを特徴とする請求項１に記載の携帯端末。
【請求項４】
前記ライブ画像内の前記電子表示装置画像のサイズを検出する電子表示装置画像サイズ検出手段を備え、
前記記憶手段は、前記ライブ画像内の前記電子表示装置画像のサイズの許容範囲を記憶し、
前記撮影制御手段は、検出された前記電子表示装置画像のサイズが前記許容範囲から外れているとき、前記写真の撮影を行わないことを特徴とする請求項２または３に記載の携帯端末。
【請求項５】
前記ライブ画像を表示するライブ画像表示手段と、
前記ライブ画像に対し前記電子表示装置画像の目標サイズを示す図柄を合成して前記ライブ画像表示手段に表示させるライブ画像表示制御手段と、
を備えたことを特徴とする請求項４に記載の携帯端末。
【請求項６】
本携帯端末の本体の傾きを検知する傾きセンサを備え、
前記電子表示装置画像検出手段は、検知された前記傾きに基づいて前記ライブ画像の天地方向を認識して前記ライブ画像内で前記電子表示装置画像をサーチすることを特徴とする請求項２ないし５のうちいずれか１項に記載の携帯端末。
【請求項７】
前記ライブ画像の前記電子表示装置画像内の文字情報を認識する文字情報認識手段を備え、
前記撮影制御手段は、前記電子表示装置に送信した撮影ポイント情報と前記文字情報認識手段により前記ライブ画像から認識された前記電子表示装置画像内の文字情報とを対比し、不一致の場合には前記写真の撮影を行わないことを特徴とする請求項２ないし６のうちいずれか１項に記載の携帯端末。
【請求項８】
前記ライブ画像の前記電子表示装置画像内の文字サイズを検出する文字サイズ検出手段を備え、
前記記憶手段は、前記ライブ画像の前記電子表示装置画像内の文字サイズの許容範囲を記憶し、
前記撮影制御手段は、検出された前記文字のサイズが前記許容範囲から外れているとき、前記写真の撮影を行わないことを特徴とする請求項７に記載の携帯端末。
【請求項９】
前記通信手段は、前記撮影ポイント情報を表示した前記電子表示装置から返送される応答情報であって前記撮影ポイント情報の少なくとも一部を含む応答情報を受信し、
前記撮影制御手段は、前記電子表示装置に送信した前記撮影ポイント情報の少なくとも一部と前記電子表示装置から返送された前記応答情報とを対比し、不一致の場合には前記写真の撮影を行わないことを特徴とする請求項１ないし８のうちいずれか１項に記載の携帯端末。
【請求項１０】
前記通信手段は、前記電子表示装置に対して識別情報を送信して、前記撮影ポイント情報を表示した前記電子表示装置から返送される前記識別情報を受信し、
前記撮影制御手段は、前記電子表示装置に送信した前記識別情報と前記電子表示装置から返送された前記識別情報とを対比し、不一致の場合には前記写真の撮影を行わないことを特徴とする請求項１ないし８のうちいずれか１項に記載の携帯端末。
【請求項１１】
撮影現場のマップであって前記撮影現場内の予め定められた複数の撮影ポイントにそれぞれ対応する複数の撮影ポイント情報が関連付けられたマップを取得するマップ取得手段と、
前記マップを表示するマップ表示手段と、を備え、
前記撮影ポイント指定手段は、前記マップ表示手段に前記マップが表示された状態で前記マップ上の前記複数の撮影ポイントのうちから撮影ポイントを選択する操作を受け付け、
前記撮影ポイント情報送信制御手段は、選択された前記撮影ポイントに対応する前記撮影ポイント情報を前記通信手段により前記電子表示装置に送信することを特徴とする請求項１ないし１０のうちいずれか１項に記載の携帯端末。
【請求項１２】
撮影現場のマップであって前記撮影現場内に配置された複数の部材にそれぞれ対応する複数の部材情報が関連付けられたマップを取得するマップ取得手段と、
前記撮影現場のマップを表示するマップ表示手段と、を備え、
前記撮影ポイント指定手段は、前記マップ表示手段に前記マップが表示された状態で前記マップ上の任意点を前記撮影ポイントとして指定する操作を受け付け、
前記撮影ポイント情報送信制御手段は、指定された前記撮影ポイントに配置された前記部材に対応する前記部材情報を特定し、該部材情報を含む前記撮影ポイント情報を前記通信手段により前記電子表示装置に送信することを特徴とする請求項１ないし１１のうちいずれか１項に記載の携帯端末。
【請求項１３】
前記写真を前記マップ上の前記撮影ポイントに対応する位置に関連付けて保存する保存手段を備えたことを特徴とする請求項１ないし１２のうちいずれか１項に記載の携帯端末。
【請求項１４】
前記撮影ポイントの検査結果を入力する検査結果入力手段を備え、
前記保存手段は、前記検査結果を前記写真と関連付けて保存することを特徴とする請求項１３に記載の携帯端末。
【請求項１５】
前記撮影ポイント情報として、工事名称、撮影日、撮影場所、撮影対象、検査項目、検査結果、および、撮影者のうち少なくともひとつを前記電子表示装置に対して送信し表示させることを特徴とする請求項１ないし１４のうちいずれか１項に記載の携帯端末。
【請求項１６】
請求項１ないし１５のうちいずれか１項に記載の携帯端末および前記電子表示装置を備えたことを特徴とする写真撮影システム。
【請求項１７】
カメラ付きの携帯端末、および、撮影現場内の撮影ポイントに配置された無線通信可能な電子表示装置を用いる写真撮影方法であって、
前記携帯端末に、前記撮影現場内の撮影ポイントに関した撮影ポイント情報を記憶させる工程と、
前記携帯端末にて、前記カメラの撮影対象として前記撮影ポイントを指定する工程と、
前記携帯端末により、指定された前記撮影ポイントに対応する前記撮影ポイント情報を前記電子表示装置に対し送信することで、前記電子表示装置に前記撮影ポイント情報を表示させる工程と、
前記携帯端末により、前記撮影ポイント情報を表示した前記電子表示装置を含む前記撮影ポイントの写真を撮影する工程と、
を備えたことを特徴とする写真撮影方法。
【発明の詳細な説明】
【技術分野】
【０００１】
本発明は、写真撮影システム、写真撮影方法および携帯端末に関し、特に撮影ポイントに関する情報を物理的に写真に写り込ませて写真の証拠性を担保するとともに、写真撮影の作業効率を向上させることができる写真撮影システム、写真撮影方法および携帯端末に関する。
【背景技術】
【０００２】
検査現場における検査作業を効率化するための各種システムが提案されている。なかでも、検査写真を撮影する際に、撮影対象の撮影ポイントに関する説明（工事名称、撮影日、撮影場所、撮影対象、検査項目、撮影者など）を書き記した手書きの黒板を検査写真の中に写り込ませることが作業上大きな負担になっているため、黒板を用いた検査写真撮影の負担軽減に着目した各種の従来技術が提案されていた。
【０００３】
特許文献１には、デジタルカメラ、携帯端末およびコンピュータ装置によって構成される写真撮影システムであって、撮影ポイントに関する情報を携帯端末で入力し、その撮影ポイントに関する情報を写真の一部に「バーチャル黒板」として合成することで、黒板を物理的になくすことを実現した構成が開示されている。
【０００４】
特許文献２には、電子表示装置であって、工事現場の地図や撮影ポイントに関する情報を識別情報と関連付けて予め記憶させておき、撮影時に識別番号を入力すると識別情報に関連付けられた情報を呼び出して表示するものが開示されている。
【先行技術文献】
【特許文献】
【０００５】
【特許文献１】特開２００３−２８８３８４号公報
【特許文献２】特開平６−１９４７３８号公報
【発明の概要】
【発明が解決しようとする課題】
【０００６】
国や地方自治体などで定める工事写真の管理基準には、物理的に黒板を写真に写り込ませることを明示しているものがあり、特許文献１に記載されたようなバーチャル黒板での代用が認められない場合がある。また、写真の証拠性を担保し、改竄を防止する観点から、工事写真には、そのデータを一切加工してはならないという厳密性が要求されるので、特許文献１記載のようなバーチャル黒板を合成するデジタル処理が受け入れられないという現実がある。
【０００７】
また、特許文献２記載の技術では、識別情報を撮影ポイントに関する情報と関連付けて予め電子表示装置に記憶させておく作業と、その識別番号を撮影時に電子表示装置に入力して、入力した識別番号に対応する撮影ポイント情報を呼び出させる作業とが必要になるため、入力操作の手間や入力ミスが発生しうるという問題がある。
【０００８】
本発明はこのような事情に鑑みてなされたもので、撮影ポイントに関する情報を物理的に写真に写り込ませて写真の証拠性を担保するとともに、写真撮影の作業効率を向上させることができる写真撮影システム、写真撮影方法および携帯端末を提供することを目的とする。
【課題を解決するための手段】
【０００９】
前記目的を達成するために、本発明は、カメラと、撮影現場の撮影ポイントに関した撮影ポイント情報を記憶する記憶手段と、前記カメラの撮影対象として前記撮影ポイントを指定する撮影ポイント指定手段と、前記撮影ポイントに配置された無線通信可能な電子表示装置と通信する通信手段と、前記撮影ポイント指定手段により指定された前記撮影ポイントに対応する前記撮影ポイント情報を前記記憶手段から読み出して前記通信手段により前記電子表示装置に対し送信することで、前記電子表示装置に前記撮影ポイント情報を表示させる撮影ポイント情報送信制御手段と、前記撮影ポイント情報を表示した前記電子表示装置を含む前記撮影ポイントの写真を前記カメラにより撮影する撮影制御手段と、を備えたことを特徴とする携帯端末を提供する。
【００１０】
即ち、携帯端末で撮影対象として撮影ポイントが指定され、指定された撮影ポイントに対応する撮影ポイント情報が携帯端末から無線通信可能な電子表示装置に送信されることで電子表示装置に撮影ポイント情報が表示され、撮影ポイント情報を表示した電子表示装置を含む撮影ポイントの写真が携帯端末により撮影されるので、撮影ポイントに関する情報を物理的に写真に写り込ませて写真の証拠性を担保することができるとともに、予め電子表示装置に対し識別情報と撮影ポイント情報とを関連付け記憶させる作業も、撮影時に電子表示装置に識別情報を入力する作業も必要なくなり、写真撮影の作業効率が向上する。
【００１１】
本発明の一実施形態では、前記写真の撮影前に前記カメラから出力されるライブ画像に前記電子表示装置を示す電子表示装置画像が含まれていることを画像処理により検出する電子表示装置画像検出手段を備え、前記撮影制御手段は、前記ライブ画像に前記電子表示装置画像が含まれていない間は前記カメラによる撮影を行わず、前記ライブ画像に前記電子表示装置画像が含まれていることが検出されたとき、前記カメラにより撮影を実行することを特徴とする。即ち、電子表示装置画像がライブ画像に含まれていない間は撮影が行われず、電子表示装置画像がライブ画像に含まれていることが検出されたときに自動的に撮影が実行されるので、失敗写真が少なくなり、写真撮影の作業効率が更に向上する。
【００１２】
本発明の一実施形態では、前記写真の撮影実行指示が入力される撮影実行指示入力手段と、前記写真の撮影前に前記カメラから出力されるライブ画像に前記電子表示装置を示す電子表示装置画像が含まれていることを画像処理により検出する電子表示装置画像検出手段と、を備え、前記撮影制御手段は、前記撮影実行指示入力手段に前記撮影実行指示が入力されたとき、前記ライブ画像に前記電子表示装置画像が含まれていない場合には前記写真の撮影を行わず、前記ライブ画像に前記電子表示装置画像が含まれている場合には前記写真の撮影を実行することを特徴とする。即ち、撮影実行指示が入力されてもライブ画像に電子表示装置画像が含まれていない場合には撮影が行われず、電子表示装置画像がライブ画像に含まれている場合に撮影が実行されるので、失敗写真が少なくなり、写真撮影の作業効率が更に向上する。
【００１３】
本発明の一実施形態では、前記ライブ画像内の前記電子表示装置画像のサイズを検出する電子表示装置画像サイズ検出手段を備え、前記記憶手段は、前記ライブ画像内の前記電子表示装置画像のサイズの許容範囲を記憶し、前記撮影制御手段は、検出された前記電子表示装置画像のサイズが前記許容範囲から外れているとき、前記写真の撮影を行わないことを特徴とする。即ち、電子表示装置画像のサイズが許容範囲から外れているときには写真の撮影が行われないので、例えば視認可能な文字を含む写真を確実に撮影することが可能となり、失敗写真が少なくなることで、写真撮影の作業効率が更に向上する。
【００１４】
本発明の一実施形態では、前記ライブ画像を表示するライブ画像表示手段と、前記ライブ画像に対し前記電子表示装置画像の目標サイズを示す図柄を合成して前記ライブ画像表示手段に表示させるライブ画像表示制御手段と、を備えたことを特徴とする。即ち、ライブ画像中の電子表示装置画像を目標サイズに合わせることが容易となり、写真撮影の作業効率が更に向上する。
【００１５】
本発明の一実施形態では、本携帯端末の本体の傾きを検知する傾きセンサを備え、前記電子表示装置画像検出手段は、検知された前記傾きに基づいて前記ライブ画像の天地方向を認識して前記ライブ画像内で前記電子表示装置画像をサーチすることを特徴とする。即ち、ライブ画像中で電子表示装置画像を確実に検出可能となる。
【００１６】
本発明の一実施形態では、前記ライブ画像の前記電子表示装置画像内の文字情報を認識する文字情報認識手段を備え、前記撮影制御手段は、前記電子表示装置に送信した撮影ポイント情報と前記文字情報認識手段により前記ライブ画像から認識された前記電子表示装置画像内の文字情報とを対比し、不一致の場合には前記写真の撮影を行わないことを特徴とする。即ち、文字認識できない場合は撮影が行われず、文字認識可能な場合のみが撮影が実行されるので、失敗写真が少なくなり、写真撮影の作業効率が更に向上する。
【００１７】
本発明の一実施形態では、前記ライブ画像の前記電子表示装置画像内の文字サイズを検出する文字サイズ検出手段を備え、前記記憶手段は、前記ライブ画像の前記電子表示装置画像内の文字サイズの許容範囲を記憶し、前記撮影制御手段は、検出された前記文字のサイズが前記許容範囲から外れているとき、前記写真の撮影を行わないことを特徴とする。即ち、写真中の文字サイズが不適切となる場合には撮影が行われず、写真中の文字サイズが適切となる場合に撮影が実行されるので、失敗写真が少なくなり、写真撮影の作業効率が更に向上する。
【００１８】
本発明の一実施形態では、前記通信手段は、前記撮影ポイント情報を表示した前記電子表示装置から返送される応答情報であって前記撮影ポイント情報の少なくとも一部を含む応答情報を受信し、前記撮影制御手段は、前記電子表示装置に送信した前記撮影ポイント情報の少なくとも一部と前記電子表示装置から返送された前記応答情報とを対比し、不一致の場合には前記写真の撮影を行わないことを特徴とする。即ち、携帯端末と電子表示装置とが確実に近距離にあり、且つ、通信が正常な場合のみ撮影が行われるので、失敗写真が少なくなり、写真撮影の作業効率が更に向上する。
【００１９】
本発明の一実施形態では、前記通信手段は、前記電子表示装置に対して識別情報を送信して、前記撮影ポイント情報を表示した前記電子表示装置から返送される前記識別情報を受信し、前記撮影制御手段は、前記電子表示装置に送信した前記識別情報と前記電子表示装置から返送された前記識別情報とを対比し、不一致の場合には前記写真の撮影を行わないことを特徴とする。
【００２０】
本発明の一実施形態では、撮影現場のマップであって前記撮影現場内の予め定められた複数の撮影ポイントにそれぞれ対応する複数の撮影ポイント情報が関連付けられたマップを取得するマップ取得手段と、前記マップを表示するマップ表示手段と、を備え、前記撮影ポイント指定手段は、前記マップ表示手段に前記マップが表示された状態で前記マップ上の前記複数の撮影ポイントのうちから撮影ポイントを選択する操作を受け付け、前記撮影ポイント情報送信制御手段は、選択された前記撮影ポイントに対応する前記撮影ポイント情報を前記通信手段により前記電子表示装置に送信することを特徴とする。即ち、表示された撮影現場のマップ上で撮影ポイントを選択する操作を行うだけで、選択した撮影ポイントに対応する撮影ポイント情報が電子表示装置に表示されて撮影されるので、作業者は写真撮影作業を容易に行うことができる。
【００２１】
本発明の一実施形態では、撮影現場のマップであって前記撮影現場内に配置された複数の部材にそれぞれ対応する複数の部材情報が関連付けられたマップを取得するマップ取得手段と、前記撮影現場のマップを表示するマップ表示手段と、を備え、前記撮影ポイント指定手段は、前記マップ表示手段に前記マップが表示された状態で前記マップ上の任意点を前記撮影ポイントとして指定する操作を受け付け、前記撮影ポイント情報送信制御手段は、指定された前記撮影ポイントに配置された前記部材に対応する前記部材情報を特定し、該部材情報を含む前記撮影ポイント情報を前記通信手段により前記電子表示装置に送信することを特徴とする。即ち、表示された撮影現場のマップ上で任意点を撮影ポイントとして指定する操作を行うことで、指定した撮影ポイントに対応する撮影ポイント情報が電子表示装置に表示されて撮影されるので、作業者は写真撮影作業を容易に行うことができる。
【００２２】
本発明の一実施形態では、前記写真を前記マップ上の前記撮影ポイントに対応する位置に関連付けて保存する保存手段を備えたことを特徴とする。
【００２３】
本発明の一実施形態では、前記撮影ポイントの検査結果を入力する検査結果入力手段を備え、前記保存手段は、前記検査結果を前記写真と関連付けて保存することを特徴とする。
【００２４】
本発明の一実施形態では、前記撮影ポイント情報として、工事名称、撮影日、撮影場所、撮影対象、検査項目、検査結果、および、撮影者のうち少なくともひとつを前記電子表示装置に対して送信し表示させることを特徴とする。
【００２５】
また、本発明は、前記携帯端末および前記電子表示装置を備えたことを特徴とする写真撮影システムを提供する。
【００２６】
また、本発明は、カメラ付きの携帯端末、および、撮影現場内の撮影ポイントに配置された無線通信可能な電子表示装置を用いる写真撮影方法であって、前記携帯端末に、前記撮影現場内の撮影ポイントに関した撮影ポイント情報を記憶させる工程と、前記携帯端末にて、前記カメラの撮影対象として前記撮影ポイントを指定する工程と、前記携帯端末により、指定された前記撮影ポイントに対応する前記撮影ポイント情報を前記電子表示装置に対し送信することで、前記電子表示装置に前記撮影ポイント情報を表示させる工程と、前記携帯端末により、前記撮影ポイント情報を表示した前記電子表示装置を含む前記撮影ポイントの写真を撮影する工程と、を備えたことを特徴とする写真撮影方法を提供する。
【発明の効果】
【００２７】
本発明によれば、撮影ポイントに関する情報を物理的に写真に写り込ませて写真の証拠性を担保するとともに、写真撮影の作業効率を向上させることができる。
【図面の簡単な説明】
【００２８】
【図１】検査システムの一例の全体構成図
【図２】携帯端末の一例のブロック図
【図３】電子表示装置の一例のブロック図
【図４】本発明を適用した検査処理の第１実施例の流れを示すフローチャート
【図５】（Ａ）は定点検査用の検査マップの一例を示す説明図、（Ｂ）は任意点検査用の検査マップの一例を示す説明図
【図６】携帯端末における検査結果入力画面の一例を示す説明図
【図７】電子表示装置における表示例を示す説明図
【図８】携帯端末におけるライブ画像の一例を示す説明図
【図９】携帯端末における電子表示装置画像の目標サイズの表示例を示す説明図
【図１０】本発明を適用した検査処理の第２実施例の流れを示すフローチャート
【発明を実施するための形態】
【００２９】
以下、添付図面に従って、本発明の実施形態について、詳細に説明する。
【００３０】
図１は、本発明に係る写真撮影システムを適用した検査システムの一例の全体構成を示す。この検査システムは、サーバ１、パーソナルコンピュータ２（以下「ＰＣ」という）、カメラ付き携帯端末３（以下単に「携帯端末」という）、電子表示装置４、および、プリンタ５を含む。サーバ１、ＰＣ２、携帯端末３およびプリンタ５は、移動体通信網、インターネットおよびＬＡＮ（Local Area Network）などで構築されたネットワーク６を介して、相互に通信可能である。また、携帯端末３と電子表示装置４とは、近距離無線通信により相互に近距離の無線通信が可能である。携帯端末３は複数存在しうる。
【００３１】
サーバ１およびＰＣ２は、ＣＰＵ(Central Processing Unit)などの制御デバイスと、メモリなどの内部記憶デバイスと、ＬＣＤ（Liquid Crystal Display）などの表示デバイスと、キーボード、マウスなどの操作入力デバイスと、ネットワーク６を介して外部の装置との間で通信を行う通信デバイスと、ネットワーク６を介さないで外部の装置との間でデータの入出力を行うデータ入出力デバイスを備えた、周知のコンピュータ装置によって、構成されている。
【００３２】
データベース１ａ（検査情報データベース）は、例えばハードディスクのような、大容量の外部記憶デバイスで構成することができる。データベース１ａは、検査に関する情報（検査情報）を一元的に管理する。ネットワーク６に接続されていてもよい。
【００３３】
携帯端末３は、図２のブロック図に示すように、携帯端末３の各部を制御するＣＰＵ３１と、写真の撮影を行うカメラ３２と、各種表示を行う表示部３３と、各種指示入力を受け付ける操作部３４と、携帯端末３の本体の傾きを検知する傾きセンサ３５と、移動体通信網を含むネットワーク６を介してサーバ１などの外部装置と通信を行うネットワークインターフェース３６と、電子表示装置４と近距離無線通信を行う近距離無線通信部３７と、各種情報を記憶するメモリ３８と、カメラ３２により撮影された写真などを保存するリムーバブルな外部記憶媒体３９を含んで構成されている。
【００３４】
電子表示装置４は、図３のブロック図に示すように、電子表示装置４の各部を制御するＣＰＵ４１と、携帯端末３と近距離無線通信を行う近距離無線通信部４２と、携帯端末３から受信した情報を記憶するメモリ４３と、携帯端末３から受信した情報を表示する表示部４４を含んで構成されている。
【００３５】
図１のプリンタ５としては、各種の印刷デバイスを用いることができる。ネットワーク６に接続されていてもよい。
【００３６】
次に、図２の携帯端末３の構成要素について具体的に説明する。
【００３７】
ＣＰＵ３１は、後に詳説する各種制御および各種画像処理を行う。
【００３８】
カメラ３２は、撮影レンズ、撮像デバイス（例えばＣＣＤ撮像デバイス）を有するデジタルカメラによって構成されており、ＣＰＵ３１の制御により、電子表示装置４を含む検査ポイントの撮影を行って検査写真を生成する。
【００３９】
表示部３３は、ＬＣＤ等の表示デバイスにより構成されており、ＣＰＵ３１の制御により、検査現場（「撮影現場」ともいう）のマップ（以下「検査マップ」という）の表示、検査結果入力画面の表示、カメラ３２から検査写真の撮影前に出力されるライブ画像の表示、撮影された検査写真の表示等、各種表示を行う。
【００４０】
操作部３４は、例えばキーやタッチセンサ等の操作入力デバイスにより構成されており、モード設定、検査ポイント（「撮影ポイント」ともいう）の指定操作、検査ポイントの検査結果入力、撮影実行指示入力等、各種操作に用いられる。
【００４１】
傾きセンサ３５は、携帯端末３の本体の傾きを検知する周知のセンサデバイスにより構成されている。
【００４２】
ネットワークインターフェース３６は、ＣＰＵ３１の制御により、ネットワーク６を介してサーバ１などの外部装置と通信を行う。本例では、検査ポイント情報を含む検査マップをサーバ１から取得する。
【００４３】
近距離無線通信部３７は、電子表示装置４との間で、例えばBluetooth（IEEE 802.15.1）、赤外線通信などの無線通信方式により近距離無線通信を行う。なお、無線通信方式は特に限定されないが、数ｍ〜数十ｍ程度の近距離で無線通信が可能であればよい。
【００４４】
近距離無線通信部３７は、ＣＰＵ３１の制御により、撮影対象の検査ポイントに配置された無線通信可能な電子表示装置４に対し、操作部３４により指定された検査ポイントに対応する検査ポイント情報（「撮影ポイント情報」ともいう）をメモリ３８から読み出して電子表示装置４に対し送信することで、電子表示装置４に検査ポイント情報を表示させる。
【００４５】
メモリ３８は、ＲＯＭ（Read Only Memory）、ＲＡＭ（Random Access Memory）およびＥＥＰＲＯＭ（Electrically Erasable and Programmable Read Only Memory）を含む。本例のメモリ３８は、ネットワークインターフェース３６によりサーバ１から取得された、検査ポイント情報を含む検査マップを記憶する。
【００４６】
外部記憶媒体３９は、リムーバブルな記憶媒体であり、例えばメモリカードを用いる。外部記憶媒体３９は、ＣＰＵ３１の制御により、操作部３４により入力された検査結果、および、カメラ３２により撮影された検査写真を、ネットワークインターフェース３６により取得された検査マップに関連付けて、保存する。例えば、検査結果および検査写真を、検査マップ上の検査ポイントに対応する座標位置に関連付け（リンク）し、保存する。
【００４７】
なお、携帯端末３からサーバ１に検査結果および検査写真および検査マップをアップロードして、サーバ１で保存するようにしてもよい。
【００４８】
次に、携帯端末３のＣＰＵ３１が行う各種の制御（検査ポイント指定制御、検査ポイント情報送信制御、ライブ画像表示制御、撮影制御など）および画像処理（電子表示装置画像検出処理、電子表示装置画像サイズ検出処理、文字情報認識処理、文字サイズ検出処理、画像合成処理など）について説明する。
【００４９】
携帯端末３のＣＰＵ３１は、検査ポイント指定制御として、携帯端末３の表示部３３に検査マップを表示させた状態で、検査マップ上に示された複数の検査ポイントのうちから特定の撮影ポイントを操作部３４により選択させる定点検査用の検査ポイント指定制御機能と、検査マップ上の任意点を撮影ポイントとして操作部３４により指定させる任意点検査用の検査ポイント指定制御機能とを有する。
【００５０】
また、携帯端末３のＣＰＵ３１は、指定された検査ポイントに対応する検査ポイント情報をメモリ３８から読み出して、携帯端末３の近距離無線通信部４２により電子表示装置４に対して送信することで、電子表示装置４に検査ポイント情報を表示させる検査ポイント情報送信制御機能を有する。
【００５１】
また、携帯端末３のＣＰＵ３１は、携帯端末３のカメラ３２から検査写真の撮影前に出力されるライブ画像を、携帯端末３の表示部３３に表示させるライブ画像表示制御機能を有する。また、携帯端末３のＣＰＵ３１は、ライブ画像から電子表示装置４を示す電子表示装置画像を検出する電子表示装置画像検出処理機能を有する。また、携帯端末３のＣＰＵ３１は、ライブ画像中の電子表示装置画像のサイズを検出する電子表示装置画像サイズ検出処理機能を有する。また、携帯端末３のＣＰＵ３１は、ライブ画像の電子表示装置画像内の文字情報を認識する文字情報認識処理機能を有する。また、携帯端末３のＣＰＵ３１は、ライブ画像の電子表示装置画像内の文字サイズを検出する文字サイズ検出処理機能を有する。また、携帯端末３のＣＰＵ３１は、ライブ画像に電子表示装置画像の目標サイズを示す図形を合成する等の画像合成処理機能を有する。
【００５２】
また、携帯端末３のＣＰＵ３１は、撮影制御機能を有し、カメラ３２により、検査ポイント情報を表示した電子表示装置４を含む検査ポイントの写真（検査写真）を撮影する。
【００５３】
検査写真の撮影には、マニュアル撮影とオート撮影の２種類がある。マニュアル撮影では、携帯端末３の操作部３４により撮影実行指示がマニュアル入力されたとき、携帯端末３のＣＰＵ３１は、検査写真の撮影実行が適切か否かを判断し、適切な場合には撮影を実行する。オート撮影では、携帯端末３のＣＰＵ３１は、検査写真の撮影実行が適切か否かを判断し、不適切な間は撮影を実行せず、適切な状態になったときに自動的に撮影を実行する。
【００５４】
検査写真の撮影実行を適切と判断する撮影実行条件として、以下の条件１〜５が挙げられる。
【００５５】
（条件１）携帯端末３と電子表示装置４とが近距離無線通信可能な距離にあること。
【００５６】
（条件２）ライブ画像に電子表示装置４を示す電子表示装置画像が含まれていること。
【００５７】
（条件３）ライブ画像内の電子表示装置画像のサイズが許容範囲内であること。
【００５８】
（条件４）ライブ画像の電子表示装置画像内の文字情報を文字認識可能であること。
【００５９】
（条件５）ライブ画像の電子表示装置画像内の文字サイズが許容範囲内であること。
【００６０】
これらの撮影実行条件のうち少なくともひとつに該当したときに撮影実行するようにしてもよいし、複数の撮影実行条件（例えば全ての条件）に該当したときに撮影実行するようにしてもよい。例えば、携帯端末３の操作部３４により、条件１〜５のうちいずれの撮影実行条件に該当した場合に撮影実行するかを指示入力させ、有効な撮影条件の組み合わせを設定情報として携帯端末３のメモリ３８に予め記憶しておき、ＣＰＵ３１からその設定情報を読み出して撮影実行可否の判断を行うようにしてもよい。
【００６１】
上記（条件１）の判断例として、携帯端末３から電子表示装置４に対して検査ポイント情報を近距離無線通信で送信したとき、電子表示装置４は受信した検査ポイント情報のうち少なくとも一部（例えば電子表示装置４の識別情報）を応答情報として携帯端末３に対して近距離無線通信で返送し、携帯端末３のＣＰＵ３１により、電子表示装置４に送信した検査ポイント情報のうち少なくとも特定の一部（例えば電子表示装置４の識別情報）と電子表示装置４から返送された応答情報（例えば電子表示装置４の識別情報）とを対比し、一致することを確認する態様が挙げられる。即ち、電子表示装置に送信した検査ポイント情報の特定内容と電子表示装置から返送された応答情報の内容とが不一致の場合には検査写真の撮影を行わず、一致した場合には検査写真の撮影を実行する。
【００６２】
上記（条件２）の判断例として、電子表示装置４の枠画像をサーチ用の電子表示装置画像として携帯端末３のメモリ３８に予め記憶させておき、携帯端末３の傾きセンサ３５により携帯端末３の本体の傾きを検知し、携帯端末３のＣＰＵ３１により、検知された傾きに基づいてライブ画像の天地方向を認識して、携帯端末３のメモリ３８に記憶されていた電子表示装置画像を検知された傾きに応じて回転させた後、ライブ画像内で電子表示装置画像をサーチする態様が挙げられる。即ち、ライブ画像に電子表示装置画像が含まれていることを画像処理により検出し、ライブ画像に電子表示装置画像が含まれていない場合には検査写真の撮影を行わず、ライブ画像に電子表示装置画像が含まれている場合には検査写真の撮影を実行する。
【００６３】
上記（条件３）の判断例として、ライブ画像内の電子表示装置画像のサイズ（例えば、枠画像の縦、横サイズ）の許容範囲を携帯端末３のメモリ３８に予め記憶しておき、携帯端末３のＣＰＵ３１により、ライブ画像内の電子表示装置画像のサイズを検出し、検出された電子表示装置画像サイズと携帯端末３のメモリ３８に記憶された許容範囲とを対比する態様が挙げられる。即ち、検出された電子表示装置画像のサイズが許容範囲から外れているときには検査写真の撮影を行わず、許容範囲内であるときに検査写真の撮影を実行する。なお、電子表示装置画像サイズの許容範囲は、検査写真を表示および印刷（レポート出力）したときに視認可能な文字サイズに対応する電子表示装置画像サイズとして携帯端末３のメモリ３８に記憶させておく。また、携帯端末３のＣＰＵ３１は、ライブ画像に対し電子表示装置画像の目標サイズを示す図形を合成して携帯端末３の表示部３３に表示させる制御を行う。
【００６４】
上記（条件４）の判断例として、携帯端末３のＣＰＵ３１により、ライブ画像の電子表示装置画像内の文字情報を認識し、電子表示装置４に送信した検査ポイント情報と携帯端末３のＣＰＵ３１によりライブ画像から認識された電子表示装置画像内の文字情報とを対比する態様が挙げられる。文字情報の認識は周知のＯＣＲ技術を適用することができる。即ち、ライブ画像の電子表示装置画像内の文字情報を正しく認識できないときには検査写真の撮影を行わず、正しく認識できたときに検査写真の撮影を実行する。
【００６５】
上記（条件５）の判断例として、ライブ画像の電子表示装置画像内の文字サイズの許容範囲を携帯端末３のメモリ３８に予め記憶しておき、携帯端末３のＣＰＵ３１により、ライブ画像の電子表示装置画像内の文字サイズを検出し、検出された文字サイズと携帯端末３のメモリ３８に記憶された許容範囲とを対比する態様が挙げられる。即ち、電子表示装置画像内の検出された文字サイズが許容範囲から外れているときには検査写真の撮影を行わず、許容範囲内であるときに検査写真の撮影を実行する。なお、文字サイズの許容範囲は、検査写真を表示および印刷（レポート出力）したときに視認可能な文字サイズとしてメモリ３８に記憶されている。
【００６６】
以上の撮影実行条件（条件１〜５）に基づいて撮影実行可否を判断することで、検査写真の撮影ミスが少なくなり、再撮影の必要が無くなるので、結果として、写真撮影作業全体の作業効率が向上する。
【００６７】
図４は、本発明を適用した検査処理の第１実施例の流れを示すフローチャートである。
【００６８】
ステップＳ２にて、ＰＣ２により、図面および検査情報が入力され、ＰＣ２の内部記憶デバイスに一時的に記憶される。入力方式は任意であり、例えば、メモリカードや光ディスクなどの外部記憶デバイスから読み出してもよいし、ＰＣ２内の内部記憶デバイスから読み出してもよいし、ネットワーク６経由で取得してもよい。
【００６９】
図面には、検査現場全体の図面（例えば伏図）、各検査対象部材ごとの部材図面など、各種の図面が含まれる。検査情報には、例えば、工事名称、検査場所（撮影場所）、検査対象（撮影対象）、検査項目（または検査内容）が含まれる。検査情報のうち一部を後に検査現場で携帯端末３により入力してもよい。
【００７０】
ステップＳ４にて、ＰＣ２により、検査現場の検査作業で携帯端末３により使用される検査マップが作成される。本例の検査マップは、ステップＳ２で入力された検査現場全体の図面に基づいて携帯端末３用に生成された検査現場のマップに、ステップＳ２で入力された検査情報を関連付けたデータである。定点検査を行うため、ＰＣ２は、検査マップ上に、検査現場内の予め定められた複数の検査ポイント（定点）の各々を示す図形をプロットし、その図形に検査ポイント情報を関連付け（リンク）する。即ち、ＰＣ２は、定点の検査ポイント情報が関連付けられた検査マップを作成する。任意点検査を行うため、ＰＣ２は、検査現場内に配置された複数の検査対象部材にそれぞれ対応する複数の部材情報が関連付けられた検査マップを作成する。定点検査および任意点検査の両方を行うことが可能な検査マップを作成してもよいことは、言うまでもない。
【００７１】
ステップＳ６にて、作成された検査マップがＰＣ２からサーバ１に送信され、サーバ１により検査マップが保存される。本例では、図１のデータベース１ａに記憶される。
【００７２】
ステップＳ８にて、携帯端末３のネットワークインターフェース３６は、ネットワーク６を介して、サーバ１から検査マップを取得する。
【００７３】
以上のステップＳ２〜Ｓ８が検査開始前に行われる準備処理である。
【００７４】
ステップＳ１０にて、携帯端末３の操作部３４により、検査開始指示が入力される。
【００７５】
ステップＳ１２にて、携帯端末３の操作部３４により、撮影対象の検査ポイントが指定される。
【００７６】
定点検査の場合には、携帯端末３の表示部３３に、図５（Ａ）に示すような定点検査用の検査マップが表示され、携帯端末３の操作部３４により、検査ポイントの選択操作を受け付ける。例えば、図５（Ａ）に示すように、検査マップ上に各検査ポイントの識別番号入り図柄１０２を表示し、その識別番号（本例では「１」〜「６」）を入力させる。本例では、６つの検査ポイントのうちから撮影対象のひとつの検査ポイントを選択する操作を受け付ける。
【００７７】
任意点検査の場合には、携帯端末３の表示部３３に、図５（Ｂ）に示すような任意点検査用の検査マップが表示され、携帯端末３の操作部３４により、検査ポイントの任意指定操作を受け付ける。例えば、図５（Ｂ）に示すように、まず、検査マップ上に十字マーク１０４を表示し、次に、操作部３４の所定キー（例えば上下左右キー）により検査マップ上で十字マーク１０４を移動させる操作を行わせ、次に、操作部３４の所定キー（例えば決定キー）により検査ポイントの位置を確定する操作を受け付ける。即ち、検査マップ上の任意点を検査ポイントとして指定する操作を受け付ける。
【００７８】
検査ポイントが指定されると、携帯端末３の表示部３３には、その検査ポイントに対応する検査ポイント情報が表示される。図６に示すような検査結果入力画面を表示してもよい。
【００７９】
ステップＳ１４にて、検査者が検査ポイントの検査（例えば目視検査や測定）を行い、その検査結果を携帯端末３の操作部３４により入力する。図６の例では、検査ポイントＸにて、３つの目視検査を行い、検査結果が良好であればチェックボックス１１０にチェックマーク（「レ」）を入れる。なお、検査結果入力画面は特に限定されず、例えば測定値を入力するようにしてもよい。
【００８０】
ステップＳ１６にて、携帯端末３の近距離無線通信部３７により、検査ポイント情報を電子表示装置４に対し送信すると、ステップＳ１８にて、電子表示装置４により検査ポイント情報が表示される。
【００８１】
例えば、図７に示すように、電子表示装置４に、工事名称、撮影日、撮影場所、撮影対象、検査項目、検査結果、撮影者、部材図面などの検査ポイント情報１２０が表示される。
【００８２】
本例では、撮影日として携帯端末３のＣＰＵ３１内のクロックから得た年月日を用い、撮影者として携帯端末３のメモリ３８に予め記憶された氏名（または所属先名称）を用い、検査結果としてステップＳ１４で携帯端末３の操作部３４により入力された情報を用いる。
【００８３】
ステップＳ２０にて、電子表示装置４から携帯端末３に対して応答情報が返送されるので、その応答情報を携帯端末３の近距離無線通信部３７により受信する。電子表示装置４の応答情報には、携帯端末３が電子表示装置４に送信した検査情報のうち予め定められた特定部分（例えば電子表示装置４を識別する識別情報）が含まれている。
【００８４】
ステップＳ２２にて、携帯端末３のＣＰＵ３１は、電子表示装置４に送信した検査情報の特定部分と電子表示装置４から返送された応答情報のうち予め定められた特定部分とを対比して、一致する場合にはステップＳ２４に進み、不一致の場合にはステップＳ２３にて警告表示を行った後にステップＳ１６に戻る。
【００８５】
ステップＳ２５にて、携帯端末３のＣＰＵ３１は、携帯端末３のカメラ３２から出力されるライブ画像内で電子表示装置４の画像（電子表示装置画像）をサーチする。即ち、ライブ画像内に電子表示装置４を示す画像が含まれていることを画像処理により検出する。図８は、携帯端末３の表示部３３に、検査ポイントのライブ画像１３０が表示された様子を示す。本例では、ライブ画像１３０に電子表示装置画像１３２が含まれている。携帯端末３のＣＰＵ３１は、例えば、メモリ３８に電子表示装置画像１３２の基本パターンとして例えば電子表示装置４の枠（図７の４ａ）を示す枠画像１３４を予め記憶しておき、ライブ画像１３０内に、メモリ３８に記憶された枠画像１３４が存在するか否かをパターンマッチングにより判定する。このとき、携帯端末３のＣＰＵ３１は、携帯端末３の傾きセンサ３５により検出された携帯端末３本体の傾きに基づいてライブ画像１３０の天地方向を認識し、ライブ画像１３０内でメモリ３８内の基本パターンをサーチする。例えば、傾きセンサ３５で検出した傾きに応じて基本パターンを回転し、ライブ画像１３０内に枠画像１３４が存在することを検出する。
【００８６】
ステップＳ２６にて、携帯端末３のＣＰＵ３１は、電子表示装置画像が検出されたか否かを判定し、検出された場合にはステップＳ２８に進み、検出されなかった場合にはステップＳ２７にて警告表示を行った後にステップＳ２５に戻る。
【００８７】
ステップＳ２８にて、携帯端末３のＣＰＵ３１は、ライブ画像内の電子表示装置画像のサイズ（縦サイズおよび横サイズ）を検出する。
【００８８】
なお、本例の携帯端末３のＣＰＵ３１は、図９に示すように、ライブ画像１３０に対し電子表示装置画像の目標サイズを示す図柄（本例では点線枠１３６）を合成し、合成後のライブ画像１３０を携帯端末３の表示部３３に表示させている。電子表示装置画像の目標サイズは、ライブ画像１３０を検査写真としてレポート出力した場合に、電子表示装置画像１３２の検査ポイント情報のうち文字情報が視認可能となる適切なサイズを示す。例えば、点線枠１３６の中心１３８を枠画像１３４の中心に合わせるように点線枠１３６を位置決めし、ライブ画像１３０に合成すればよい。
【００８９】
ステップＳ３０にて、携帯端末３のＣＰＵ３１は、検出された電子表示装置画像サイズがメモリ３８に予め記憶された許容範囲内であるか否かを判定し、許容範囲外である場合にはステップＳ３２に進み、許容範囲外である場合にはステップＳ３１にて警告表示を行った後にステップＳ２５に戻る。
【００９０】
ステップＳ３２にて、携帯端末３のＣＰＵ３１は、ライブ画像の電子表示装置画像内の文字情報を認識する。
【００９１】
ステップＳ３４にて、携帯端末３のＣＰＵ３１は、電子表示装置４に送信した検査ポイント情報と、ライブ画像から認識された電子表示装置画像内の文字情報とを対比し、一致した場合にはステップＳ３６に進み、不一致の場合にはステップＳ３５にて警告表示を行った後にステップＳ２５に戻る。
【００９２】
ステップＳ３６にて、携帯端末３のＣＰＵ３１は、携帯端末３のカメラ３２により電子表示装置４を含む検査ポイントの検査写真を撮影する。即ち、検査ポイント情報を表示した電子表示装置４を含む検査ポイントを撮像し、得られた撮像画像（写真）をメモリ３８に一時的に記憶する。
【００９３】
ステップＳ３８にて、携帯端末３のＣＰＵ３１は、ステップＳ１４で入力された検査結果、および、ステップＳ３６で撮影された検査写真を、ステップＳ８で取得した検査マップに関連付けて、外部記憶媒体３９に保存する。例えば、検査マップ上の検査ポイントに対応する座標位置に、検査結果および検査写真をリンクし、保存する。
【００９４】
ステップＳ４０にて、携帯端末３のＣＰＵ３１は、検査現場における検査処理を終了するか否かを判定し、終了する場合にはステップＳ４２に進み、終了しない場合、即ち次の検査ポイントで検査を行う場合にはステップＳ１２に戻る。
【００９５】
以上のステップＳ１０〜Ｓ４０が検査現場で行われる検査処理である。
【００９６】
ステップＳ４２にて、事務所に戻った作業者がＰＣ２を操作して、レポート出力処理を行う。即ち、ＰＣ２により、外部記憶媒体３９から、検査結果および検査写真が関連付けられた検査マップを読み出して、レポートを作成し、そのレポートをプリンタ５により出力する。
【００９７】
図１０は、第２実施例における検査処理例の流れを示すフローチャートである。
【００９８】
ステップＳ２〜Ｓ２３は、図４に示した第１実施例と同じである。
【００９９】
ステップＳ２４にて、携帯端末３のＣＰＵ３１は、操作部３４により撮影実行指示の入力（シャッタ操作）を受け付ける。
【０１００】
ステップＳ２５〜Ｓ４２は、図４に示した第１実施例と同じである。
【０１０１】
第２実施例では、携帯端末３のＣＰＵ３１は、操作部３４に撮影実行指示が入力されたとき、ライブ画像（図８の１３０）に電子表示装置画像（図８の１３４）が含まれていない場合には検査写真の撮影を行わず、ライブ画像に電子表示装置画像が含まれている場合には検査写真の撮影を実行する。
【０１０２】
なお、第１実施例および第２実施例にて、撮影実行条件１〜５の全ての条件が揃ったときに撮影実行する場合を例に説明したが、本発明はこのような場合には特に限定されず、撮影実行条件１〜５のうち、いずれか単独または任意の組み合わせにて撮影実行か否かを判定してもよい。
【０１０３】
また、電子表示装置４の枠および表示の色は、特に限定されない。例えば、電子表示装置４の表示部３３に黒字に白で検査ポイント情報を表示することで、電子表示装置４を電子黒板として用いてもよい。また、例えば、図７に示したように、枠４ａの色を黒色として電子表示装置４の表示部３３に白地に黒で検査ポイント情報を表示してもよいし、枠４ａの色を緑色として電子表示装置４の表示部３３に黒地に白で検査ポイント情報を表示してもよい。
【０１０４】
また、電子表示装置４の基材は特に限定されず、例えば可撓性を有するシート状部材で形成し、シート状の電子表示装置４としてもよい。電子表示装置４を薄く形成することで、電子表示ペーパとすることができる。電子表示装置４をシート状に形成した場合、作業者の携帯性が向上する点で、好ましい。
【０１０５】
また、携帯端末３は、カメラ付き携帯電話に特に限定されず、作業者に携帯される通信端末であれば、どのような端末であってもよい。
【０１０６】
本発明は、本明細書において説明した例や図面に図示された例には限定されず、本発明の要旨を逸脱しない範囲において、各種の設計変更や改良を行ってよいのはもちろんである。
【符号の説明】
【０１０７】
１…サーバ、２…ＰＣ（パーソナルコンピュータ）、３…携帯端末、４…電子表示装置、５…プリンタ、３１…携帯端末のＣＰＵ、３２…携帯端末のカメラ、３３…携帯端末の表示部、３４…携帯端末の操作部、３５…携帯端末の傾きセンサ、３６…携帯端末のネットワークインターフェース、３７…携帯端末の近距離無線通信部、３８…携帯端末のメモリ、３９…外部記憶媒体、４１…電子表示装置のＣＰＵ、４２…電子表示装置の近距離無線通信部、４３…電子表示装置のメモリ、４４…電子表示装置の表示部、１４０…電子表示装置画像、１４１…枠画像
【図１】
2011250292.tif 000003
【図２】
2011250292.tif 000004
【図３】
2011250292.tif 000005
【図４】
2011250292.tif 000006
【図５】
2011250292.tif 000007
【図６】
2011250292.tif 000008
【図７】
2011250292.tif 000009
【図８】
2011250292.tif 000010
【図９】
2011250292.tif 000011
【図１０】
2011250292.tif 000012